(57)【要約】【課題】意図しない無意味な表示（ゴミ表示）が電源投入時に一瞬現れる現象を確実に防止する。【解決手段】表示装置は、駆動部と、表示部と、制御部とを備えている。駆動部は、メモリ用電源端子、メモリ用電源端子が給電されている状態において情報信号を記憶するメモリ、及び表示信号出力用電源端子を有し、表示信号出力用電源端子を介して受ける電力を用いて、メモリに記憶された情報信号を表示信号として出力する。表示部は、表示信号を受けて、表示信号に応じた内容を表示する。制御部は、メモリ用電源端子への給電開始後、表示部に所望の表示をさせる情報信号をメモリに書き込んだ後、表示信号出力用電源端子に給電する。即ち、駆動部が表示信号を出力する前に、表示部に所望の表示をさせる情報信号をメモリに書き込む。従って、電源投入時にゴミ表示が一瞬現れる現象を確実に防止できる。【選択図】      図１
2004334093.tif 000002
【特許請求の範囲】
【請求項１】
メモリ用電源端子、前記メモリ用電源端子が給電されている状態において情報信号を記憶するメモリ、及び表示信号出力用電源端子を有し、前記表示信号出力用電源端子を介して受ける電力を用いて、前記メモリに記憶された前記情報信号を表示信号として出力する駆動部と、
前記表示信号を受けて、前記表示信号に応じた内容を表示する表示部と、
前記メモリ用電源端子への給電開始後、前記表示部に所望の表示をさせる前記情報信号を前記メモリに書き込んだ後、前記表示信号出力用電源端子に給電する制御部と
を備えていることを特徴とする表示装置。
【請求項２】
請求項１記載の表示装置において、
前記制御部は、前記表示信号出力用電源端子に給電するか否かを切り替え可能な給電用回路を備え、前記メモリ用電源端子への給電開始時には前記給電用回路の給電を停止させておき、前記情報信号を前記メモリに書き込んだ後、前記給電用回路に給電させる
ことを特徴とする表示装置。
【請求項３】
請求項１記載の表示装置において、
前記制御部は、出力ポートを有するマイクロコントローラと、前記出力ポートの出力電圧を所定の電圧にして前記表示信号出力用電源端子に給電する電圧安定化回路とを備え、
前記マイクロコントローラは、前記メモリ用電源端子への給電開始時には前記出力ポートから電圧を出力せず、前記情報信号を前記メモリに書き込んだ後、前記出力ポートから電圧を出力する
ことを特徴とする表示装置。
【請求項４】
請求項１記載の表示装置において、
入力側が前記メモリ用電源端子に接続されていると共に出力側が前記表示信号出力用電源端子に接続されており、前記入力側に受ける電力を、前記メモリへの前記情報信号の書き込み時間より長い所定時間遅延させて前記出力側から出力する遅延回路を、前記制御部は備えている
ことを特徴とする表示装置。
【発明の詳細な説明】
【０００１】
【発明の属する技術分野】
本発明は、表示装置において、意図しない無意味な表示が電源投入時に一瞬現れる現象を防止する技術に関する。
【０００２】
【従来の技術】
表示装置は、ＬＥＤ方式、液晶方式、エレクトロルミネセンス方式、プラズマディスプレイ方式、ＣＲＴ（Ｃａｔｈｏｄｅ  Ｒａｙ  Ｔｕｂｅ）方式などに分類される。
一般に、表示装置は、表示モニタと、表示モニタを駆動するドライバＩＣとを有している。通常、ドライバＩＣは、電源が投入された直後に、表示パネルを非表示状態にするように設計されている。しかし、ドライバＩＣの電源を遮断した直後に再度電源を投入する場合や、投入直後の電源電圧の立ち上がりが急峻でない場合、意図しない不要な表示（以下、ゴミ表示という）が現れることがあった。これは、ドライバＩＣ内部のＲＡＭがクリアされなかったり、ＲＡＭが任意の値になったりするためである。ゴミ表示は、外部から表示情報を受けるまで、もしくは、全表示を消灯するコマンドがドライバＩＣに入力されるまで継続する。
【０００３】
このゴミ表示を防止するための従来技術として、特許文献１が知られている。特許文献１では、表示装置は、ホスト装置等の周辺機器の電源投入に連動して電源がオンになるように設定されている。そして、電源投入時に各機器の立ち上がり時間の違いにより生じるゴミ表示を防止するための技術が開示されている。
【特許文献１】
特開２００１−１０９４５０号公報  （第５−８項、図１−図６）
【０００４】
【発明が解決しようとする課題】
特許文献１では、特定の条件が満たされたとき受信されたデータを順次解釈する、または、カスタマディスプレイが選択されていないときＶＲＡＭ領域をクリアしたまま保持する、との動作になっている。従って、電源をオンした直後でＶＲＡＭ領域をクリアする前の状態については考慮されていないので、ＶＲＡＭ領域がクリアされる前にゴミ表示が現れる可能性がある。
【０００５】
通常、ゴミ表示が現れる期間は一瞬（１秒未満）である。しかし、例え一瞬であってもゴミ表示が現れると、不快感、或いは、故障ではないかという懸念をユーザに与えるおそれがある。従って、ゴミ表示を確実に防止することが要望されていた。
本発明の目的は、電源投入時にゴミ表示が一瞬現れる現象を確実に防止する技術を提供することである。
【０００６】
【課題を解決するための手段】
請求項１の表示装置は、駆動部と、表示部と、制御部とを備えていることを特徴とする。駆動部は、メモリ用電源端子、メモリ用電源端子が給電されている状態において情報信号を記憶するメモリ、及び表示信号出力用電源端子を有し、表示信号出力用電源端子を介して受ける電力を用いて、メモリに記憶された情報信号を表示信号として出力する。表示部は、表示信号を受けて、表示信号に応じた内容を表示する。制御部は、メモリ用電源端子への給電開始後、表示部に所望の表示をさせる情報信号をメモリに書き込んだ後、表示信号出力用電源端子に給電する。
【０００７】
請求項２の表示装置は、請求項１記載の発明において、『制御部は、表示信号出力用電源端子に給電するか否かを切り替え可能な給電用回路を備え、メモリ用電源端子への給電開始時には給電用回路の給電を停止させておき、情報信号をメモリに書き込んだ後、給電用回路に給電させる』ことを特徴とする。
【０００８】
請求項３の表示装置は、請求項１記載の発明において、以下の点を特徴とする。第１に、制御部は、出力ポートを有するマイクロコントローラと、出力ポートの出力電圧を所定の電圧にして表示信号出力用電源端子に給電する電圧安定化回路とを備えている。第２に、マイクロコントローラは、メモリ用電源端子への給電開始時には出力ポートから電圧を出力せず、情報信号をメモリに書き込んだ後、出力ポートから電圧を出力する。
【０００９】
請求項４の表示装置は、請求項１記載の発明において、『入力側がメモリ用電源端子に接続されていると共に出力側が表示信号出力用電源端子に接続されており、入力側に受ける電力を、メモリへの情報信号の書き込み時間より長い所定時間遅延させて出力側から出力する遅延回路を、制御部が備えている』ことを特徴とする。
【００１０】
【発明の実施の形態】
以下、図面を用いて本発明の実施の形態を説明する。
＜本実施形態の構成＞
図１は、本実施形態の表示装置の回路構成を示すブロック図である。本実施形態では、一例として、電子カメラの液晶表示装置に請求項１及び請求項３の発明を適用する例を述べる。
【００１１】
図に示されるように、液晶表示装置１０Ａは、操作部１４と、電源スイッチ１８と、交換可能なバッテリ２２と、レギュレータ２６と、ダイオード３０、３４と、ＤＣ−ＤＣコンバータ３８と、リセットＩＣ４２と、マイクロコントローラ４６（以下、マイコンと略記）と、レギュレータ５０と、ＬＣＤドライバ５４と、液晶パネル５８とを有している。なお、図中のＧＮＤは、接地線（電圧０Ｖ）である。また、ダイオード３０、３４と、リセットＩＣ４２との接続ノードをノードＡとする。
【００１２】
操作部１４は、ユーザが電子カメラの設定を変更したりするための操作スイッチを有している（図示せず）。
レギュレータ２６（３端子レギュレータ）は、バッテリ２２から受ける電圧を、４．５Ｖにして出力する。
ＤＣ−ＤＣコンバータ３８は、電圧を出力するタイミングを制御するためのＣＴＬ端子を有している。ＤＣ−ＤＣコンバータ３８は、ＣＴＬ端子に高レベルの電圧を受けている場合、バッテリ２２から受ける電圧を、５．０Ｖにして出力する。
【００１３】
マイコン４６は、自動焦点調節、自動露出制御、撮影条件の表示など、電子カメラ全体のシステム制御を行う。また、マイコン４６は、端子として、ＧＮＤ、ＳＯ、ＳＣＫ、ＶＣＣ、ＲＥＳＥＴ、ＰＯＲＴ０１、ＰＯＲＴ０２、ＰＯＲＴ０３、ＰＯＲＴ０３、ＰＯＲＴ０４、ＰＯＲＴ０５を有している。
ＶＣＣ端子（電源端子）は、レギュレータ２６、ＤＣ−ＤＣコンバータ３８の双方が電圧を出力している場合、これらの内高い方の電圧を受ける。即ち、双方が電圧を出力している場合、ＶＣＣ端子は、ＤＣ−ＤＣコンバータ３８の出力電圧からダイオード３４の順方向電圧降下分（約０．４Ｖ）を引いた電圧を受ける。
ＰＯＲＴ０１は、マイコン４６の動作モードを設定する。具体的には、電源スイッチ１８がオフ（遮断）に切り替わると、ＰＯＲＴ０１は不図示の電源線から高レベルの電圧を受けて、マイコン４６は低消費電力モードに切り替わる。これにより、バッテリ２２の消耗は抑制される。また、電源スイッチ１８がオン（導通）に切り替わると、ＰＯＲＴ０１は低レベルの電圧を受けて、マイコン４６は通常動作モードに切り替わる。なお、電源スイッチ１８がオンでも、操作部１４が操作されない状態が所定時間（半押しタイマ時間）継続すると、マイコン４６は低消費電力モードに切り替わる。
【００１４】
また、マイコン４６は、ＬＣＤドライバ５４に制御コマンド及び表示データを送信する。具体的には、マイコン４６は、ＰＯＲＴ０４の出力電圧を低レベルにすることで、ＬＣＤドライバ５４に対して通信開始を宣言する。ＰＯＲＴ０４を低レベルにした後、マイコン４６は、ＳＣＫ端子から出力するクロック信号に従って、ＳＯ端子からＬＣＤドライバ５４にコマンドや表示データを入力する。
【００１５】
さらに、マイコン４６は、ＰＯＲＴ０３の出力電圧（レギュレータ５０への入力電圧）により、後述するＬＣＤドライバ５４のＶＬＣＤ端子に給電するか否かを制御する。具体的には、ＰＯＲＴ０３から電圧が出力されない（出力が低レベルの）とき、レギュレータ５０の出力電圧、即ち、ＶＬＣＤ端子の入力電圧は０Ｖとなる。また、ＰＯＲＴ０３の出力電圧が高レベルのとき、レギュレータ５０の出力電圧は４．０Ｖとなる。
【００１６】
リセットＩＣ４２は、ノードＡの電圧が所定値まで低下したとき、マイコン４６のＲＥＳＥＴ端子に低レベルの電圧を入力する。これにより、ＶＣＣ端子への供給電圧がマイコン４６の動作保証電圧以下になる前に、マイコン４６はリセット状態に移行する。従って、マイコン４６の誤動作が防止される。また、バッテリ２２が装填されて、ノードＡの電圧がマイコン４６の動作保証電圧まで立ち上がり、マイコン４６の不図示の発振子による発振安定時間が経過した後、リセットＩＣ４２はＲＥＳＥＴ端子に高レベルの電圧を入力する。これにより、マイコン４６は、非動作状態から動作状態に切り替わる。
【００１７】
図２は、ＬＣＤドライバ５４の内部を示すブロック図である。ＬＣＤドライバ５４は、図１に示したＳＥＧ端子、ＣＯＭ端子、ＶＣＣ端子、ＶＬＣＤ端子、ＣＳ端子、ＳＣＫ端子、ＳＩ端子、ＧＮＤ端子の他に、図２に示すシリアルＩ／Ｏインターフェース６２、表示用ＲＡＭ６６、ドライバ部７０を有している。
表示用ＲＡＭ６６は、ＶＣＣ端子から電圧を供給されて、Ｉ／Ｏインターフェース６２を介してマイコン４６から受信する表示データを記憶する。また、表示用ＲＡＭ６６は、ＣＳ端子に低レベルの電圧を受けているときのみ、データの書き込みが可能な状態になる。なお、ＶＣＣ端子からの給電がないとき、表示用ＲＡＭ６６は動作しない。
【００１８】
ドライバ部７０は、ＶＬＣＤ端子から電圧を供給されて、表示用ＲＡＭ６６に書き込まれた表示データを読み込む。ドライバ部７０は、読み込んだ表示データを液晶パネル５８に表示させるための信号電圧を、ＶＬＣＤ端子から供給される電圧により生成する。ドライバ部７０は、生成した信号電圧を、ＣＯＭ端子及びＳＥＧ端子から液晶パネル５８に入力する。なお、ＣＯＭ端子及びＳＥＧ端子の出力電圧の振幅は、ＶＬＣＤ端子の入力電圧により規定される。また、ＶＬＣＤ端子からの給電がないとき、ドライバ部７０は動作しない。
なお、マイコン４６のＶＣＣ端子及びＬＣＤドライバ５４のＶＣＣ端子は共通に給電されるので、マイコン４６はＬＣＤドライバ５４のＶＣＣ端子への給電に同期して駆動を開始する。
【００１９】
＜本実施形態の動作説明＞
図３は、不図示の電子カメラボディにバッテリ２２を装填した直後の液晶表示装置１０Ａの各部の電圧波形を示している。図４は、バッテリ２２が装填されてから、低消費電力モードに移行するまでの動作を示す流れ図である。以下、図３に示した時刻ｔ１〜ｔ６を用いながら、図４に示すステップ番号に従って、本実施形態の液晶表示装置１０Ａの動作を説明する。
【００２０】
［ステップＳ１］
まず、時刻ｔ１において、電子カメラボディにバッテリ２２が装填される。バッテリ２２に接続されている容量などにより、バッテリ２２の出力電圧は緩やかに立ち上がる。また、バッテリ２２の投入に伴い、レギュレータ２６の出力電圧が立ち上がり、ノードＡの電圧は上昇する。
【００２１】
次に、時刻ｔ２において、ノードＡの電圧は、リセットＩＣ４２のリセット電圧に達する。このリセット電圧はマイコン４６の動作保証電圧より大きく、このとき既にマイコン４６の発振子の発振は安定している。従って、時刻ｔ２において、リセットＩＣ４２は、ＲＥＳＥＴ端子に高レベルの電圧を入力して、マイコン４６を動作状態に切り替える。これにより、マイコン４６は、内部のメモリをクリアして、使用するリソースを初期化した後、通常動作モードとして動作を開始する。
【００２２】
［ステップＳ２］
次に、時刻ｔ３において、バッテリ２２の出力電圧は、レギュレータ２６の出力電圧４．５Ｖを確保するまで立ち上がる。このため、ノードＡの電圧は、レギュレータ２６の出力電圧で安定する。
次に、時刻ｔ４において、マイコン４６は、ＰＯＲＴ０２の出力電圧を高レベルに切り替えて、ＤＣ−ＤＣコンバータ３８のＣＴＬ端子に高レベルの電圧を入力する。これにより、ＤＣ−ＤＣコンバータ３８の出力電圧は立ち上がる。なお、ＤＣ−ＤＣコンバータ３８の出力電圧は、不図示の配線を介して、電子カメラの各部を駆動するために用いられる。
【００２３】
次に、時刻ｔ５において、ＤＣ−ＤＣコンバータ３８の出力電圧は、レギュレータ２６の出力電圧より高くなる。このため、ノードＡの電圧は、ＤＣ−ＤＣコンバータ３８の出力電圧により再度上昇し始める。従って、マイコン４６のＶＣＣ端子への入力電圧は、レギュレータ２６経由からＤＣ−ＤＣコンバータ経由３８に切り替わる。なお、このタイミングでは、ＬＣＤドライバ５４のＶＬＣＤ端子への入力電圧は０Ｖであるため、液晶パネル５８には何も表示されない。
【００２４】
［ステップＳ３］
この後、ＤＣ−ＤＣコンバータ３８の出力は完全に立ち上がって、電圧ノードＡの電圧は、５．０Ｖで安定する。この後、マイコン４６は、表示用ＲＡＭ６６のクリアを指示するリセットコマンドを、ＬＣＤドライバ５４に送信する。これにより、表示用ＲＡＭ６６はクリアされる（無表示に相当する表示データが表示用ＲＡＭ６６に書き込まれることと等価である）。
なお、リセットコマンドの代わりに、所望の表示をさせる表示データ、或いは、表示すべき情報の一番始めに相当する表示データを、シリアルＩ／Ｏインターフェース６２を介して表示用ＲＡＭ６６に入力してもよい。
【００２５】
［ステップＳ４］
次に、時刻ｔ６において、マイコン４６は、ＰＯＲＴ０３の出力電圧を高レベルに切り替える（レギュレータ５０に高レベルの電圧を入力する）。これにより、ＬＣＤドライバ５４のＶＬＣＤ端子への給電が開始されるので、表示用ＲＡＭ６６に記憶されたデータに従って、液晶パネル５８に表示が開始される。このとき、ステップＳ３でリセットコマンドを送信して表示用ＲＡＭ６６をクリアしたため、何も表示されない。
なお、ステップＳ３でリセットコマンドの代わりに、所望の表示をさせる表示データ、または表示すべき情報の一番始めに相当する表示データを表示用ＲＡＭ６６に入力した場合、入力した表示データの内容が液晶パネル５８に表示される。
【００２６】
［ステップＳ５］
マイコン４６は、液晶パネル５８に表示する情報を確定するために、電源スイッチ１８の状態を検出する。電源スイッチ１８がオン（導通）の場合、ステップＳ６に進み、オフ（開放）の場合、ステップＳ１４に進む。
【００２７】
［ステップＳ６］
マイコン４６は、電源スイッチ１８がオンのときに表示させる所定の表示データを、ＬＣＤドライバ５４に送信する形式にデコードする。
【００２８】
［ステップＳ７］
マイコン４６は、ステップＳ６でデコードした表示データをシリアルＩ／Ｏインターフェイス６２を介して表示用ＲＡＭ６６に入力する。この表示データ送信により、ＬＣＤドライバ５４は、液晶パネル５８に所望の表示を開始させる。
【００２９】
［ステップＳ８］
マイコン４６は、電源スイッチ１８の状態を判定する。電源スイッチ１８がオンの場合、ステップＳ９に進み、オフの場合、ステップＳ１４に進む。
【００３０】
［ステップＳ９］
マイコン４６は、不図示の半押しタイマの状態を判定する。半押しタイマがオフの場合、ステップＳ１０に進み、そうでない場合、ステップＳ８に戻る。このステップＳ８、Ｓ９の判定ループは随時行われる。
また、操作部１４が操作される等により、ステップＳ８、Ｓ９の判定ループ間にマイコン４６の設定が変化した場合、マイコン４６は、ＬＣＤドライバ５４に送信する表示データを更新する。
【００３１】
［ステップＳ１０］
マイコン４６は、半押しタイマがオフのときに表示させる所定の表示データを、ＬＣＤドライバ５４に送信する形式にデコードする。
【００３２】
［ステップＳ１１］
マイコン４６は、ステップＳ１０でデコードした表示データをシリアルＩ／Ｏインターフェイス６２を介して表示用ＲＡＭ６６に入力する。この表示データ送信により、ＬＣＤドライバ５４は、液晶パネル５８に所望の表示をさせる。
【００３３】
［ステップＳ１２］
マイコン４６は、ＰＯＲＴ０２の出力電圧を低レベルに切り替えて、ＤＣ−ＤＣコンバータ３８をオフする。これにより、マイコン４６のＶＣＣ端子への入力電圧は、レギュレータ２６経由に切り替わる。
【００３４】
［ステップＳ１３］
マイコン４６は、撮影可能な通常動作モードから撮影不可能な低消費電力モードに移行する。この後、マイコン４６のＶＣＣ端子及びＬＣＤドライバ５４のＶＣＣ端子は、レギュレータ２６経由で給電されるため、液晶パネル５８の表示は維持される。低消費電力モードでは、マイコン４６は、撮影可能枚数などの最低限の情報を液晶パネル５８に表示させる。
【００３５】
［ステップＳ１４］
マイコン４６は、電源スイッチ１８がオフのときに表示させる所定の表示データを、ＬＣＤドライバ５４に送信する形式にデコードする。
【００３６】
［ステップＳ１５］
マイコン４６は、ステップＳ１４でデコードした表示データをシリアルＩ／Ｏインターフェイス６２を介して表示用ＲＡＭ６６に入力する。この表示データ送信により、ＬＣＤドライバ５４は、液晶パネル５８に所望の表示をさせる。この後、ステップＳ１２に進み、前述の動作で低消費電力モードに移行する。
【００３７】
以上が各ステップの動作説明である。
なお、ステップＳ１３において低消費電力モードに移行後、操作部１４が操作された場合、マイコン４６は、再度通常動作モードに移行し、ステップＳ５に戻る。従って、バッテリ２２の装填時のみに行われる処理は、ステップＳ１〜Ｓ４までの処理である。
また、低消費電力モードに移行後、再度通常動作モードに移行するとき、ステップＳ１３で述べたように液晶パネル５８は表示を維持している状態である。即ち、表示用ＲＡＭ６６に所定の表示データが書き込まれた状態であるので、このときゴミ表示が現れることはない。
【００３８】
＜本実施形態の効果＞
本実施形態では、ドライバ部７０用の電源端子であるＶＬＣＤ端子に給電する前に、表示用ＲＡＭ６６をクリアするリセットコマンドをＬＣＤドライバ５４に送信する（ステップＳ３）。従って、ＶＬＣＤ端子に給電を開始するとき、即ち、ドライバ部７０が液晶パネル５８に表示を開始させるとき、表示用ＲＡＭ６６は既にクリアされているため、ゴミ表示が現れることはない。
【００３９】
換言すれば、表示部の電源（ＬＣＤドライバ５４のＶＣＣ端子）がオンした直後で表示用ＲＡＭ６６がクリアされる前でも表示用の電源（ＶＬＣＤ端子）をオンしておらず、表示用ＲＡＭ６６をクリアした後に表示用の電源をオンするので、ゴミ表示は現れない。
このため、バッテリ２２を装填する時に、不要なゴミ表示が一瞬現れる現象を確実に防止できる。この結果、不快感、或いは、故障ではないかという懸念をユーザに与えることを防止できる。
【００４０】
また、このように、液晶パネルに表示用の信号電圧を入力する駆動部に給電する前に、表示用のメモリをクリアすれば、強制非表示の機能を有さないＬＣＤドライバにおいてもゴミ表示を確実に防止できる。
さらに、マイコン４６は、ＶＬＣＤ端子に給電するか否かをＰＯＲＴ０３の出力により制御できるので、制御シーケンス及び回路構成を簡単にできる。
【００４１】
＜本実施形態の補足事項＞
［１］  なお、本実施形態では、レギュレータ５０に給電するか否かにより、液晶パネル５８に点灯させるかまたは全消灯させるかを制御する例を述べた。本発明は、かかる実施形態に限定されるものではない。
例えば、図５に示すように、レギュレータ５０の代わりに、出力の制御端子（ＣＴＬ端子）を有するレギュレータ９０を使用して、このＣＴＬ端子をマイコン４６が制御してもよい。この場合、ＬＣＤドライバ５４のＶＣＣ端子に給電が開始されるときには、レギュレータ９０のＣＴＬ端子に例えば低レベルの電圧を入力して、レギュレータ９０の給電を停止させておく。そして、表示用ＲＡＭ６６をクリアするリセットコマンドをＬＣＤドライバ５４に送信した後、レギュレータ９０のＣＴＬ端子に高レベルの電圧を入力して、レギュレータ９０にＶＬＣＤ端子への給電を開始させる。この実施例は、請求項２に対応する。この場合も、上述した実施形態と同様の効果を得ることができる。
【００４２】
或いは、図６に示すように、レギュレータ５０の代わりに、遅延時間Ｄで動作する遅延回路９４を用いてもよい。この場合、ＬＣＤドライバ５４のＶＣＣ端子への給電開始後、同様のリセットコマンドの送信により表示用ＲＡＭ６６がクリアされてから、ＶＬＣＤ端子への給電が開始されるように遅延時間Ｄを設定する。即ち、表示用ＲＡＭ６６のクリアに要する時間よりも、遅延時間Ｄを十分長くする。この実施例は、請求項４に対応する。この場合も、上述した実施形態と同様の効果を得ることができる。
【００４３】
［２］  電子カメラの液晶表示装置に本発明を適用した例を述べた。本発明は、かかる実施形態に限定されるものではない。本発明のゴミ表示を防止する技術は、プラズマディスプレイ方式などの、他の表示装置にも適用できる。さらに、本発明は、バッテリのチャタリングによるゴミ表示が問題となる他の機器にも適用できる。
【００４４】
［３］  最後に、請求項と本実施形態との対応関係を説明する。なお、以下に示す対応関係は、参考のための一解釈であり、本発明を限定するものではない。
請求項記載のメモリ用電源端子は、ＬＣＤドライバ５４のＶＣＣ端子に対応する。
請求項記載の情報信号は、マイコン４６が表示用ＲＡＭ６６に入力する表示データに対応する。
【００４５】
請求項記載のメモリは、表示用ＲＡＭ６６に対応する。
請求項記載の表示信号出力用電源端子は、ＬＣＤドライバ５４のＶＬＣＤ端子に対応する。
請求項記載の表示信号は、『ドライバ部７０が、読み込んだ表示データから生成して（ＣＯＭ端子及びＳＥＧ端子から）液晶パネル５８に入力する信号電圧』に対応する。
【００４６】
請求項記載の駆動部は、ＬＣＤドライバ５４に対応する。
請求項記載の表示部は、液晶パネル５８に対応する。
請求項記載の『所望の表示をさせる前記情報信号』は、ステップＳ３で述べた『リセットコマンド、所望の表示をさせる表示データ、表示すべき情報の一番始めに相当する表示データ』に対応する。
【００４７】
請求項記載の制御部は、マイコン４６及びレギュレータ５０に対応する。
請求項記載の給電用回路は、図５のレギュレータ９０に対応する。
請求項記載のマイクロコントローラは、マイコン４６に対応する。
請求項記載の電圧安定化回路は、図１のレギュレータ５０に対応する。
請求項記載の出力ポートは、マイコン４６のＰＯＲＴ０３に対応する。
請求項記載の『書き込み時間より長い所定時間』は、遅延時間Ｄに対応する。
【００４８】
【発明の効果】
本発明では、表示信号出力用電源端子に給電する前、即ち、駆動部が表示信号を出力する前に、表示部に所望の表示をさせる情報信号をメモリに書き込む。従って、電源投入時にゴミ表示が現れることを確実に防止できる。
【図面の簡単な説明】
【図１】本実施形態の液晶表示装置の構成を示すブロック図である。
【図２】図１のＬＣＤドライバの内部を示すブロック図である。
【図３】バッテリ装填直後の各部の電圧波形を示すタイミング図である。
【図４】本実施形態の液晶表示装置の動作を説明するための流れ図である。
【図５】レギュレータ５０の代わりに、出力の制御端子を有するレギュレータを用いる実施例の構成を示すブロック図である。
【図６】レギュレータ５０の代わりに、遅延回路を用いる実施例の構成を示すブロック図である。
【符号の説明】
１０Ａ、１０Ｂ、１０Ｃ  液晶表示装置
１４  操作スイッチ
１８  電源スイッチ
２２  バッテリ
２６  レギュレータ
３０、３４  ダイオード
３８  ＤＣ−ＤＣコンバータ
４２  リセットＩＣ
４６  マイクロコントローラ
５０  レギュレータ
５４  ＬＣＤドライバ
５８  液晶パネル
６２  シリアルＩ／Ｏインターフェース
６６  表示用ＲＡＭ
７０  ドライバ部
９０  レギュレータ
９４  遅延回路
【図１】
2004334093.tif 000003
【図２】
2004334093.tif 000004
【図３】
2004334093.tif 000005
【図４】
2004334093.tif 000006
【図５】
2004334093.tif 000007
【図６】
2004334093.tif 000008